(57)【特許請求の範囲】
【請求項１】
歩行を検出して対応する歩行信号を出力する検出手段と、前記検出手段からの歩行信号に基づいて歩行に関する歩行データを算出する算出手段と、前記算出手段によって算出した歩行データを記憶する記憶手段と、前記記憶手段に記憶した歩行データをバックアップするための不揮発性メモリと、前記記憶手段に記憶した歩行データを前記不揮発性メモリに記憶するように制御する制御手段と、電源としての電池とを備え、
前記制御手段は、前記検出手段からの信号に基づいて歩数測定が行われていないと判断したときのみ、前記記憶手段に記憶した歩行データを前記不揮発性メモリに記憶するように制御することを特徴とする歩数計。
【請求項２】
前記制御手段は、前記検出手段が所定時間継続して歩行信号を出力しない場合に歩数測定が行われていないと判断し、前記記憶手段に記憶した歩行データを前記不揮発性メモリに記憶するように制御することを特徴とする請求項１記載の歩数計。
【請求項３】
前記制御手段は、更に、前記検出手段が所定時間継続して歩行信号を出力しないとき、前記検出手段が連続検出動作から間欠検出動作に移行するように、前記電池から前記検出手段への駆動電力供給を制御することを特徴とする請求項１又は２記載の歩数計。
【発明の詳細な説明】
【技術分野】
【０００１】
本発明は、使用者の腕や腰等の体に装着して、あるいは、使用者が携帯するバッグ等に収納して使用し、前記使用者の歩数を測定する歩数計に関する。
【背景技術】
【０００２】
従来から、使用者の腕や腰に装着して、あるいは使用者が携帯するバッグ等に収納して使用し、前記使用者の歩数を測定する歩数計が開発されている。
ユーザーアプリケーションによっては、ユーザーが長期間使用して歩行経過に関するデータを保存するような歩数計（例えば、特許文献１、２参照）は、電池交換の際にもデータを消すことが出来ないため不揮発性メモリであるＥＥＰＲＯＭへのバックアップ手段を設ている。
【０００３】
不揮発性メモリへのバックアップは、書き込み回数が１０万回や１００万回といった制限があり、例えば毎歩バックアップすると容易に制限値を超えてしまう。このため、下記のように定期的にバックアップするすることが一般的である。
例えば、経過時間を計時する計時機能を備えた上で、一定時間毎、例えば、一分間毎や一時間毎にバックアップを行う。あるいは、時刻の計時機能を備えた上で、所定の時刻にバックアップを行う。
しかしながら、一定時間毎や所定時刻でのＥＥＰＲＯＭへのバックアップは、ユーザの電池交換作業と重なってバックアップデータが破壊される可能性が高いという問題がある。
【０００４】
一方、従来の歩数計の歩行検出状態制御方法に関して、特許文献３では、歩数計の取り扱い状態に応じて、使用されていない場合に歩行検出動作を連続検出動作から間欠検出動作に変更するといったものがある。しかしながら、特許文献３には、データのバックアップに関しては何ら記載されていない。
【０００５】
【特許文献１】特開２００１−２９６１３９号公報
【特許文献２】特開２０００−２２７３４１号公報
【特許文献３】特開２００５−２６７１５２号公報
【発明の開示】
【発明が解決しようとする課題】
【０００６】
本発明は、電池交換作業とデータバックアップ動作とが時間的に重ならないようにして、データバックアップを正常に行えるようにすることを課題としている。
【課題を解決するための手段】
【０００７】
本発明によれば、歩行を検出して対応する歩行信号を出力する検出手段と、前記検出手段からの歩行信号に基づいて歩行に関する歩行データを算出する算出手段と、前記算出手段によって算出した歩行データを記憶する記憶手段と、前記記憶手段に記憶した歩行データをバックアップするための不揮発性メモリと、前記記憶手段に記憶した歩行データを前記不揮発性メモリに記憶するように制御する制御手段と、電源としての電池とを備え、前記制御手段は、前記検出手段からの信号に基づいて歩数測定が行われていないと判断したとき、前記記憶手段に記憶した歩行データを前記不揮発性メモリに記憶するように制御することを特徴とする歩数計が提供される。
【０００８】
検出手段は、歩行を検出して対応する歩行信号を出力する。算出手段は、前記検出手段からの歩行信号に基づいて歩行に関する歩行データを算出する。記憶手段は、前記算出手段によって算出した歩行データを記憶する。制御手段は、前記検出手段からの信号に基づいて歩数測定が行われていないと判断したとき、前記記憶手段に記憶した歩行データを不揮発性メモリに記憶するように制御する。
【０００９】
ここで、前記制御手段は、前記検出手段が所定時間継続して歩行信号を出力しない場合に歩数測定が行われていないと判断し、前記記憶手段に記憶した歩行データを前記不揮発性メモリに記憶するように制御するよう構成してもよい。
また、前記制御手段は、更に、前記検出手段が所定時間継続して歩行信号を出力しないとき、前記検出手段が連続検出動作から間欠検出動作に移行するように、前記電池から前記検出手段への駆動電力供給を制御するように構成してもよい。
【発明の効果】
【００１０】
本発明によれば、電池交換作業とデータバックアップ動作とが時間的に重ならないようにして、データバックアップを正常に行うことが可能になる。
【発明を実施するための最良の形態】
【００１１】
図１は、本発明の実施の形態に係る歩数計のブロック図である。
図１において、歩数計は、センサ１０１及び歩行信号検出部１０２を有する歩行検出部１１０、処理部１０３、電源回路１０４、カウンタ１０６を有する計時部１０５、表示部１０７、記憶部１０８、バックアップ部１０９及び電池１１１を備えている。
センサ１０１は、例えば加速度センサによって構成され、使用者の歩行（走行を含む）を検出して対応する歩行信号を出力する。歩行信号検出部１０２は、センサ１０１からの歩行信号を所定閾値によって二値化してデジタル形式の歩行信号として出力する。
【００１２】
処理部１０３はＣＰＵによって構成され、後述する処理を行う。
電源回路１０４は、各構成要素の電源である電池１１１から駆動電力を歩行検出部１１０に供給する駆動電力を検出動作モードに応じて制御する。計時部１０５は計時動作を行う。カウンタ１０６は、ダウンカウンタとして機能し、処理部１０３によって設定された時間を計時完了すると、処理部１０３にカウント終了信号を出力する。
【００１３】
表示部１０７は、歩数データ等を表示する。記憶部１０８は、ランダムアクセスメモリ（ＲＡＭ）によって構成されており、歩行データを記憶する。歩行データとしては、例えば、累積歩数、歩数に基づいて算出した消費カロリや歩行距離、歩行した時間、脂肪燃焼量、日時と歩行通過地点とを対応付けたデータ（例えば東海道５３次の通過地点及び当該地点の通過日時）等がある。
バックアップ部１０９は、ＥＥＰＲＯＭ等の不揮発性メモリによって構成され、記憶部１０８が記憶しているデータをバックアップする。
【００１４】
ここで、歩行検出部１１０は検出手段を構成し、処理部１０３は算出手段及び制御手段を構成し、記憶部１０８は記憶手段を構成している。
検出手段は、使用者の歩行を検出して対応する歩行信号を出力することができる。
算出手段は、検出手段からの歩行信号に基づいて歩行に関する歩行データを算出することができる。
記憶手段は、算出手段によって算出した歩行データを記憶することができる。
不揮発性メモリは、記憶手段に記憶した歩行データをバックアップすることができる。
【００１５】
制御手段は、記憶手段に記憶した歩行データを不揮発性メモリに記憶するように制御することができる。また、制御手段は、検出手段が所定時間継続して歩行信号を出力しない場合に歩数測定が行われていないと判断し、記憶手段に記憶した歩行データを不揮発性メモリに記憶するように制御することができる。また、制御手段は、更に、検出手段が所定時間継続して歩行信号を出力しないとき、検出手段が連続検出動作から間欠検出動作に移行するように、電池から検出手段への駆動電力供給を制御することができる。
【００１６】
図２は、本発明の実施の形態に係る歩数計の状態遷移図である。
図２において、通常の歩行検出状態では、歩行検出部１１０には電源回路１０４によって連続的に駆動電力が供給されているため歩行検出動作を連続的に常時行い（Ｓ１）、歩行信号を検出する毎に歩数をカウントして累積歩数の算出処理を行う（Ｓ２）。
状態Ｓ１において、歩行信号が一定時間検出されない場合、歩数計は携帯されていない、換言すれば電池交換は行われていないと推定して、記憶部１０８に記憶しているデータをバックアップ部１０９にバックアップ処理する（Ｓ３）。
【００１７】
その後、電源回路１０４は歩行検出部１１０を間欠的にオンにするように駆動電力を供給する（Ｓ４）。これにより、歩行検出部１１０は間欠検出動作を行って、省電力化が図られる。
状態Ｓ４において、歩行検出部１１０が歩行信号を検出すると、処理部１０３は歩数をカウントして累積歩数の算出処理を行い、状態Ｓ１に移行する（Ｓ５）。
【００１８】
図３及び図４は、本発明の実施の形態に係る歩数計の処理の詳細を示すフローチャートである。
以下、図１、図３、図４を用いて、本実施の形態に係る歩数計の動作を詳細に説明する。
先ず、処理部１０３は、計時部１０５に歩行開始判定時間（例えば５秒）をセットし（Ｓ３０１）、カウンタ１０６に計時動作を開始させる（ステップＳ３０２）。
次に、処理部１０３は、電源回路１０４を制御して、電池１１１からの駆動電力を歩行検出部１１０に供給し、歩行検出部１１０に歩行検出動作を開始させる（ステップＳ３０３）。
【００１９】
処理部１０３は、歩行検出部１１０（具体的には、歩行信号検出部１０２）からの歩行信号の有無をチェックする（ステップＳ３０４）。
処理ステップＳ３０４において、処理部１０３は、歩行信号がないと判断した場合、計時部割り込み信号チェックし（ステップＳ３０５）、割り込み信号がなければ処理ステップＳ３０４に戻る。尚、前記計時部割り込み信号は、カウンタ１０６が、処理部１０３によって設定された前記歩行開始判定時間を計時したときに出力する信号（カウント終了信号）である。
【００２０】
処理部１０３は、処理ステップＳ３０５において、割り込み信号ありと判断した場合、即ち、歩行信号の検出を開始してから歩行開始判定時間が経過するまで歩行信号が得られなかった場合、歩行検出部１１０への駆動電力供給を停止するように電源回路１０４を制御し、歩行検出部１１０の検出動作を停止させる（ステップＳ３０６）。
次に、処理部１０３は、計時部１０５に休止時間（例えば２５秒）をセットし、カウンタ１０６に計時動作を開始させる（ステップＳ３０７）。
【００２１】
処理部１０３は、計時部割り込み信号をチェックし、カウンタ１０６が前記休止時間を計時して割り込み信号（前記休止時間の計時完了を示すカウント終了信号）を出力すると、処理ステップＳ３０１に戻る（ステップＳ３０８）。
これにより、歩行検出部１１０は、前記歩行開始判定時間が検出動作オンで前記休止時間が検出動作オフの間欠検出動作を行う。
【００２２】
一方、処理部１０３は、処理ステップＳ３０４において、歩行信号ありと判断した場合、計時部１０５に歩行停止判定時間（例えば３０分）をセットし（ステップＳ３０９）、計時部１０５のカウンタ１０６の動作を開始させる（ステップＳ３１０）。これにより、歩行検出部１１０が歩行検出を連続的に行う連続検出動作を行う。
処理部１０３は、歩行検出部１１０からの歩行信号の有無をチェックし（ステップＳ３１１）、歩行信号がある場合は、記憶部１０８の歩数データに加算して累積歩数を算出して（ステップＳ３１３）、表示部１０７に現在の累積歩数データを表示させた後（ステップＳ３１４）、カウンタ１０６の計数値をリセット（３０分にもどす）して処理ステップＳ３１２に移行する（ステップＳ３１５）。
【００２３】
処理部１０３は、処理ステップＳ３１１において、歩行信号なしと判断した場合、計時部１０５の割り込み信号をチェックし（ステップS３１２）、割り込み信号なしと判断した場合には処理ステップＳ３１１に戻る。前記割り込み信号は、カウンタ１０６が前記歩行判定時間を計時完了したときに出力するカウント終了信号である。
処理部１０３は、処理ステップＳ３１２において、割り込み信号ありと判断した場合、即ち歩行信号がない状態で前記歩行判定時間を経過したと判断した場合には、歩行検出部１１０への駆動電力を停止するように電源回路１０４を制御する（ステップＳ３１６）。電源回路１０４は、歩行検出部１１０への駆動電力供給を停止する。
【００２４】
次に、処理部１０３は、カウンタ１０６の動作を停止させ（ステップＳ３１７）、処理部１０３は、記憶部１０８のデータをバックアップ部１０９にバックアップする（ステップＳ３１８）。
次に、処理部１０３は処理ステップS３０１に移行する。これにより、歩行検出部１１０は、処理ステップS３１６で連続検出動作を終了した後、再び前述した間欠検出動作に移行することになる。
【００２５】
本実施の形態に係る歩数計によれば、歩数検出部が歩行信号を一定時間検出しないとき、即ち、使用者が歩数計を携帯していないと推定されるときに、記憶部１０８のデータをバックアップ部１０９へバックアップ処理している。
したがって、電池交換作業とデータバックアップ動作とが時間的に重なることを防止でき、データバックアップを正常に行うことが可能になる。また、歩数データ等の消去することが出来ない貴重なデータを保存している歩数計において、安全性の高いデータバックアップ処理が可能になる。
【００２６】
また、所定時間歩行信号が得られずに連続検出動作から間欠検出動作に移行するときにデータバックアップを行うようにしているため、間欠検出動作機能を有する歩数計であれば特に複雑な構成を必要とせずにバックアップを行うことが可能になり、処理や構成が簡単になる。また、間欠検出動作と併せて行うため省電力化が可能になるという効果を奏する。
【産業上の利用可能性】
【００２７】
腕や腰等の使用者の身体に装着して使用する歩数計をはじめ、携帯用バッグ等に収容し携帯して使用する歩数計等、各種の歩数計に利用可能である。
【図面の簡単な説明】
【００２８】
【図１】本発明の実施の形態に係る歩数計のブロック図である。
【図２】本発明の実施の形態に係る歩数計の状態遷移図である。
【図３】本発明の実施の形態に係る歩数計のフローチャートである。
【図４】本発明の実施の形態に係る歩数計のフローチャートである。
【符号の説明】
【００２９】
１０１・・・センサ
１０２・・・歩行信号検出部
１０３・・・処理部
１０４・・・電源回路
１０５・・・計時部
１０６・・・カウンタ
１０７・・・表示部
１０８・・・記憶部
１０９・・・バックアップ部
１１０・・・歩行検出部
１１１・・・電池
【図１】
0005008505.tif 000002
【図２】
0005008505.tif 000003
【図３】
0005008505.tif 000004
【図４】
0005008505.tif 000005